(57)【要約】【課題】  フレームの強度の低下を来たすことなく音質の向上を図る。【解決手段】  マグネットとコイルを有する磁気回路と、磁気回路の駆動力によって振動される振動板と、磁気回路が取り付けられる回路取付部と、振動板のエッジが取り付けられるエッジ取付部と、回路取付部とエッジ取付部を連結し周方向に離隔して設けられた複数の脚部とを有するフレームとを設け、複数の脚部にそれぞれ凹凸部が設けられると共に凹凸部の形態が少なくとも二つの脚部において異なるようにされた。  これによりフレームの強度の低下を来たすことなく音質の向上を図ることができる。【選択図】        図５
2013138375.tif 000002
【特許請求の範囲】
【請求項１】
マグネットとコイルを有する磁気回路と、
前記磁気回路の駆動力によって振動される振動板と、
前記磁気回路が取り付けられる回路取付部と、前記振動板のエッジが取り付けられるエッジ取付部と、前記回路取付部と前記エッジ取付部を連結し周方向に離隔して設けられた複数の脚部とを有するフレームとを備え、
前記複数の脚部にそれぞれ凹凸部が設けられると共に前記凹凸部の形態が少なくとも二つの前記脚部において異なるようにされた
スピーカー装置。
【請求項２】
前記凹凸部の形態のうち大きさが異なるようにされた
請求項１に記載のスピーカー装置。
【請求項３】
前記凹凸部の形態のうち形状が異なるようにされた
請求項１に記載のスピーカー装置。
【請求項４】
前記凹凸部の形態のうち数が異なるようにされた
請求項１に記載のスピーカー装置。
【請求項５】
前記脚部が四つ設けられ、
前記四つの脚部のうち二つずつの前記脚部がそれぞれ対角に位置するように設けられ、
対角に位置する二つの脚部に形成された前記凹凸部の数が同じにされ、
周方向において隣り合う前記脚部に形成された前記凹凸部の数が異なるようにされた
請求項１に記載のスピーカー装置。
【請求項６】
前記脚部が四つ設けられ、
前記四つの脚部のうち二つずつの前記脚部がそれぞれ対角に位置するように設けられ、
対角に位置する二つの脚部に形成された前記凹凸部の大きさが異なるようにされた
請求項１に記載のスピーカー装置。
【請求項７】
前記凹凸部は前記脚部の一部が厚み方向に打ち出されて前記脚部に一体に形成された
請求項１に記載のスピーカー装置。
【発明の詳細な説明】
【技術分野】
【０００１】
本技術はスピーカー装置についての技術分野に関する。詳しくは、フレームの複数の脚部の少なくとも一つずつに形態の異なる凹凸部をそれぞれ形成して共振を低減しフレームの強度の低下を来たすことなく音質の向上を図る技術分野に関する。
【背景技術】
【０００２】
スピーカー装置にはマグネットやコイルを有する磁気回路の駆動力によって振動板が振動されるタイプがあり、このようなタイプのスピーカー装置は、フレームの各部分に振動板のエッジと磁気回路がそれぞれ取り付けられている。
【０００３】
フレームは、磁気回路が取り付けられる回路取付部と、振動板のエッジが取り付けられるエッジ取付部と、回路取付部とエッジ取付部を連結し周方向に離隔して設けられた複数の脚部とを有している。
【０００４】
上記のようなスピーカー装置にあっては、振動板が振動することにより音声が出力されるが、このとき振動板の振動に伴う反作用によってフレームが振動し、複数の脚部が同じ大きさ及び同じ形状にされている場合に、特定の周波数において共振音が発生し音質の低下を来たすおそれがある。
【０００５】
そこで、従来のスピーカー装置には、複数の脚部の強度を不均一にして音質の低下を防止するようにしたものがある（例えば、特許文献１参照）。
【０００６】
しかしながら、フレームの複数の脚部の強度を不均一にした場合には、フレームの全体としての強度が低下する可能性がある。特に、車載用のスピーカー装置のように振動を生じ易い環境で用いられる用途においては、強度が不足する可能性がある。
【０００７】
一方、従来のスピーカー装置には、フレームの各脚部に補強リブを設けて強度の向上を図るようにしたものがある（例えば、特許文献２参照）。
【０００８】
【特許文献１】特開平７−９５６８７号公報
【特許文献２】実開平５−１８１９８号公報
【発明の開示】
【発明が解決しようとする課題】
【０００９】
ところが、特許文献２に記載されたスピーカー装置にあっては、強度の向上を図ることは可能であるが、各脚部が補強リブを含めて同一の形状及び大きさに形成されているため、特定の周波数において共振音が発生し音質の低下を来たすおそれがある。
【００１０】
そこで、本技術スピーカー装置は、上記した問題点を克服し、フレームの強度の低下を来たすことなく音質の向上を図ることを課題とする。
【課題を解決するための手段】
【００１１】
第１に、スピーカー装置は、上記した課題を解決するために、マグネットとコイルを有する磁気回路と、前記磁気回路の駆動力によって振動される振動板と、前記磁気回路が取り付けられる回路取付部と、前記振動板のエッジが取り付けられるエッジ取付部と、前記回路取付部と前記エッジ取付部を連結し周方向に離隔して設けられた複数の脚部とを有するフレームとを備え、前記複数の脚部にそれぞれ凹凸部が設けられると共に前記凹凸部の形態が少なくとも二つの前記脚部において異なるようにされたものである。
【００１２】
従って、スピーカー装置にあっては、フレームの各脚部において共振周波数が分散される。
【００１３】
第２に、上記したスピーカー装置においては、前記凹凸部の形態のうち大きさが異なるようにされることが望ましい。
【００１４】
凹凸部の形態のうち大きさが異なるようにされることにより、フレームの設計の自由度が高くなる。
【００１５】
第３に、上記したスピーカー装置においては、前記凹凸部の形態のうち形状が異なるようにされることが望ましい。
【００１６】
凹凸部の形態のうち形状が異なるようにされることにより、フレームの設計の自由度が高くなる。
【００１７】
第４に、上記したスピーカー装置においては、前記凹凸部の形態のうち数が異なるようにされることが望ましい。
【００１８】
凹凸部の形態のうち数が異なるようにされることにより、フレームの設計の自由度が高くなる。
【００１９】
第５に、上記したスピーカー装置においては、前記脚部が四つ設けられ、前記四つの脚部のうち二つずつの前記脚部がそれぞれ対角に位置するように設けられ、対角に位置する二つの脚部に形成された前記凹凸部の数が同じにされ、周方向において隣り合う前記脚部に形成された前記凹凸部の数が異なるようにされることが望ましい。
【００２０】
四つの脚部のうち二つずつの脚部がそれぞれ対角に位置するように設けられ、対角に位置する二つの脚部に形成された凹凸部の数が同じにされ、周方向において隣り合う脚部に形成された凹凸部の数が異なるようにされることにより、簡素な構成によってフレームの各脚部における共振周波数が分散される。
【００２１】
第６に、上記したスピーカー装置においては、前記脚部が四つ設けられ、前記四つの脚部のうち二つずつの前記脚部がそれぞれ対角に位置するように設けられ、対角に位置する二つの脚部に形成された前記凹凸部の大きさが異なるようにされることが望ましい。
【００２２】
四つの脚部のうち二つずつの脚部がそれぞれ対角に位置するように設けられ、対角に位置する二つの脚部に形成された凹凸部の大きさが異なるようにされることにより、簡素な構成によってフレームの各脚部における共振周波数が分散される。
【００２３】
第７に、上記したスピーカー装置においては、前記凹凸部は前記脚部の一部が厚み方向に打ち出されて前記脚部に一体に形成されることが望ましい。
【００２４】
凹凸部は脚部の一部が厚み方向に打ち出されて脚部に一体に形成されることにより、凹凸部が容易に形成される。
【発明の効果】
【００２５】
本技術スピーカー装置は、マグネットとコイルを有する磁気回路と、前記磁気回路の駆動力によって振動される振動板と、前記磁気回路が取り付けられる回路取付部と、前記振動板のエッジが取り付けられるエッジ取付部と、前記回路取付部と前記エッジ取付部を連結し周方向に離隔して設けられた複数の脚部とを有するフレームとを備え、前記複数の脚部にそれぞれ凹凸部が設けられると共に前記凹凸部の形態が少なくとも二つの前記脚部において異なるようにされている。
【００２６】
従って、共振のピークが分散され、フレームの強度の低下を来たすことなく音質の向上を図ることができる。
【００２７】
請求項２に記載した技術にあっては、前記凹凸部の形態のうち大きさが異なるようにされている。
【００２８】
従って、フレームの設計の自由度の向上を図った上で音質の向上を図ることができる。
【００２９】
請求項３に記載した技術にあっては、前記凹凸部の形態のうち形状が異なるようにされている。
【００３０】
従って、フレームの設計の自由度の向上を図った上で音質の向上を図ることができる。
【００３１】
請求項４に記載した技術にあっては、前記凹凸部の形態のうち数が異なるようにされている。
【００３２】
従って、フレームの設計の自由度の向上を図った上で音質の向上を図ることができる。
【００３３】
請求項５に記載した技術にあっては、前記脚部が四つ設けられ、前記四つの脚部のうち二つずつの前記脚部がそれぞれ対角に位置するように設けられ、対角に位置する二つの脚部に形成された前記凹凸部の数が同じにされ、周方向において隣り合う前記脚部に形成された前記凹凸部の数が異なるようにされている。
【００３４】
従って、簡素な構成によって音質の向上を図ることができる。
【００３５】
請求項６に記載した技術にあっては、前記脚部が四つ設けられ、前記四つの脚部のうち二つずつの前記脚部がそれぞれ対角に位置するように設けられ、対角に位置する二つの脚部に形成された前記凹凸部の大きさが異なるようにされている。
【００３６】
従って、簡素な構成によって音質の向上を図ることができる。
【００３７】
請求項７に記載した技術にあっては、前記凹凸部は前記脚部の一部が厚み方向に打ち出されて前記脚部に一体に形成されている。
【００３８】
従って、凹凸部の形成を容易に行うことができると共に脚部の強度の向上を図ることができる。
【発明を実施するための最良の形態】
【００３９】
以下に、本技術スピーカー装置を実施するための最良の形態を添付図面に従って説明する。
【００４０】
以下の説明においては、スピーカー装置が向く方向を前方として上下前後左右の方向を示す。
【００４１】
尚、以下に示す上下前後左右の方向は、説明の便宜上示すものであり、本技術はこれらの方向に限定して適用されることはない。
【００４２】
［スピーカー装置の構成］
スピーカー装置１はフレーム２と磁気回路３と振動板４を有している（図１乃至図４参照）。
【００４３】
フレーム２は環状、例えば、円形状や楕円形状等に形成されたエッジ取付部５と、エッジ取付部５の後方に位置された回路取付部６と、エッジ取付部５と回路取付部６を連結し周方向に略等間隔に離隔して設けられた複数、例えば、四つの脚部７、８、９、１０とを有している。
【００４４】
回路取付部６は前後方向を向く円環状に形成された結合面部６ａと結合面部６ａの外周部から略前方へ突出された周面部６ｂとを有している。結合面部６ａの中心孔は挿入配置孔６ｃとして形成されている。
【００４５】
脚部７、８、９、１０は同一の外形状及び大きさに形成され（図５参照）、厚みも同じにされている。脚部７、８、９、１０は同一の外形状及び大きさに形成され厚みも同じにされているため、強度の均一性が保たれ、また、脚部７、８、９、１０を有するフレーム２の強度も高くされている。
【００４６】
脚部７、８、９、１０はそれぞれ上方へ行くに従って外方へ変位するように傾斜されている。
【００４７】
脚部７と脚部９は対角に位置するように設けられ、回路取付部６の中心を挟んで反対側に位置されている。脚部８と脚部１０は対角に位置するように設けられ、回路取付部６の中心を挟んで反対側に位置されている。
【００４８】
脚部７、８、９、１０には、これらのうちの少なくとも一つずつに形態、即ち、大きさ、形状又は数の異なる凹凸部がそれぞれ形成されている。
【００４９】
例えば、脚部７には周方向に並んで二つの凹凸部７ａ、７ａが形成され、脚部８には凹凸部８ａが形成され、脚部９には周方向に並んで二つの凹凸部９ａ、９ａが形成され、脚部１０には凹凸部１０ａが形成されている。凹凸部７ａ、７ａ、８ａ、９ａ、９ａ、１０ａは何れも脚部７、８、９、１０の一部が厚み方向に打ち出されて放射方向に延びる形状、例えば、長方形や台形等の四角形状に形成されている。
【００５０】
凹凸部７ａ、７ａ、８ａは略同じ幅に形成され、凹凸部９ａ、９ａ、１０ａは略同じ幅に形成され、凹凸部７ａ、７ａ、８ａは凹凸部９ａ、９ａ、１０ａより幅が広くされている。
【００５１】
フレーム２には脚部７と脚部１０の間の位置及び脚部８と脚部９の間の位置にそれぞれ補強用連結部１１、１２が設けられ、補強用連結部１１、１２によってエッジ取付部５と回路取付部６が連結されている。
【００５２】
磁気回路３はフレーム２の回路取付部６に取り付けられている（図１乃至図４参照）。磁気回路３はトッププレート１３とマグネット１４とヨーク１５を有している。
【００５３】
トッププレート１３は磁性材料によって軸方向に短い円環状に形成され、中心孔が挿通孔１３ａとして形成されている。トッププレート１３は軸方向が前後方向にされ、前面がフレーム２の回路取付部６における結合面部６ａの後面に取り付けられている。
【００５４】
マグネット１４はトッププレート１３より厚い円環状に形成され、軸方向が前後方向にされ、前面がトッププレート１３の後面に固定されている。
【００５５】
ヨーク１５は磁性材料によって形成され、前後方向を向く略円板状のベース面部１６とベース面部１６の中央部から前方へ突出された軸部１７とから成る。ヨーク１５はベース面部１６の前面がマグネット１４の後面に固定され、軸部１７がマグネット１４、トッププレート１３の挿通孔１３ａ及び回路取付部６の挿入配置孔６ｃに挿入されて配置されている。
【００５６】
ヨーク１５にはベース面部１６の中央部及び軸部１７の中心部を貫通された取付孔１５ａが形成されている。
【００５７】
ヨーク１５の軸部１７には円筒状に形成されたコイルボビン１８が前後方向へ移動自在に支持されている。コイルボビン１８には前端側の部分に振動板４の内周部が取り付けられている。
【００５８】
コイルボビン１８の後端部における外周面にはコイル１９が巻き付けられている。コイル１９は両端部がフレーム２に設けられた図示しないターミナルを介して電源回路に接続されている。コイル１９はトッププレート１３の挿通孔１３ａに配置されている。コイル１９に電源回路から駆動電流が供給されると、磁気回路３に生じる推力によってコイルボビン１８が前後方向へ変動（微少に移動）され、振動板４が振動されて音声が出力される。
【００５９】
コイルボビン１８の軸方向における前端寄りの位置にはダンパー２０が取り付けられている。ダンパー２０は薄い略円環状に形成されて弾性変形可能とされ、内周部がコイルボビン１８の外周面に取り付けられ、外周部がフレーム２の内面に取り付けられている。ダンパー２０はコイル１９に駆動電流が供給されコイルボビン１８が軸方向へ変動されたときに弾性変形され、コイルボビン１８の軸方向における過度の変動を抑制する機能を有している。
【００６０】
振動板４は外周部がエッジ４ａとして設けられ、エッジ４ａがフレーム２のエッジ取付部５の前端部に取り付けられている。従って、振動板４はコイルボビン１８の軸方向における変動に伴って前端部を支点とするように振動される。
【００６１】
スピーカー装置１はネジ部材がヨーク１５の取付孔１５ａに螺合されることにより、例えば、車輌の室内等に取り付けられて使用される。
【００６２】
［スピーカー装置の動作］
上記のように構成されたスピーカー装置１において、コイル１９に駆動電流が供給されると、磁気回路３において推力が発生されコイルボビン１８が前後方向（軸方向）へ変動されコイルボビン１８の変動に伴って振動板４が振動する。このとき電流又は電圧に比例した音声の出力が行われる。
【００６３】
コイルボビン１８の変動時にはコイルボビン１８の変動に伴ってダンパー２０が弾性変形され、コイルボビン１８の軸方向における過度の変動が抑制される。
【００６４】
振動板４が振動されるときには、振動板４の振動に伴う反作用によってフレーム２が振動し、特定の周波数領域において共振のピークが発生し音圧レベルが高くなる。
【００６５】
しかしながら、スピーカー装置１にあっては、フレーム２の脚部７、８、９、１０にそれぞれ形態の異なる凹凸部７ａ、７ａ、８ａ、９ａ、９ａ、１０ａが形成されているため、共振のピークが分散される。
【００６６】
［スピーカー装置の変形例］
以下に、第１の変形例に係るフレーム２Ａ、第２の変形例に係るフレーム２Ｂ及び第３の変形例に係るフレーム２Ｃについて説明する（図６乃至図８参照）。
【００６７】
尚、以下に示すフレーム２Ａ、２Ｂ、２Ｃは、上記したフレーム２と比較して、凹凸部の形態が異なることのみが相違するため、フレーム２と比較して異なる部分についてのみ詳細に説明をし、その他の部分についてはフレーム２における同様の部分に付した符号と同じ符号を付して説明は省略する。
【００６８】
第１の変形例に係るフレーム２Ａはエッジ取付部５と回路取付部６と四つの脚部７Ａ、８Ａ、９Ａ、１０Ａとを有している（図６参照）。
【００６９】
脚部７Ａ、８Ａ、９Ａ、１０Ａは、同一の外形状及び大きさに形成され厚みも同じにされている。脚部７Ａ、８Ａ、９Ａ、１０Ａは同一の外形状及び大きさに形成され厚みも同じにされているため、強度の均一性が保たれ、また、脚部７Ａ、８Ａ、９Ａ、１０Ａを有するフレーム２Ａの強度も高くされている。
【００７０】
脚部７Ａ、８Ａ、９Ａ、１０Ａはそれぞれ上方へ行くに従って外方へ変位するように傾斜されている。
【００７１】
脚部７Ａと脚部９Ａは対角に位置するように設けられ、回路取付部６の中心を挟んで反対側に位置されている。脚部８Ａと脚部１０Ａは対角に位置するように設けられ、回路取付部６の中心を挟んで反対側に位置されている。
【００７２】
脚部７Ａには周方向に並んで二つの凹凸部７ｂ、７ｂが形成され、脚部８Ａには凹凸部８ｂが形成され、脚部９Ａには周方向に並んで二つの凹凸部９ｂ、９ｂが形成され、脚部１０Ａには凹凸部１０ｂが形成されている。凹凸部７ｂ、７ｂ、８ｂ、９ｂ、９ｂ、１０ｂは何れも脚部７Ａ、８Ａ、９Ａ、１０Ａの一部が厚み方向に打ち出されて放射方向に延びる形状、例えば、長方形や台形等の四角形状に形成されている。
【００７３】
凹凸部７ｂ、７ｂ、８ｂ、９ｂ、９ｂ、１０ｂは略同じ幅に形成されている。
【００７４】
第２の変形例に係るフレーム２Ｂはエッジ取付部５と回路取付部６と四つの脚部７Ｂ、８Ｂ、９Ｂ、１０Ｂとを有している（図７参照）。
【００７５】
脚部７Ｂ、８Ｂ、９Ｂ、１０Ｂは、同一の外形状及び大きさに形成され厚みも同じにされている。脚部７Ｂ、８Ｂ、９Ｂ、１０Ｂは同一の外形状及び大きさに形成され厚みも同じにされているため、強度の均一性が保たれ、また、脚部７Ｂ、８Ｂ、９Ｂ、１０Ｂを有するフレーム２Ｂの強度も高くされている。
【００７６】
脚部７Ｂ、８Ｂ、９Ｂ、１０Ｂはそれぞれ上方へ行くに従って外方へ変位するように傾斜されている。
【００７７】
脚部７Ｂと脚部９Ｂは対角に位置するように設けられ、回路取付部６の中心を挟んで反対側に位置されている。脚部８Ｂと脚部１０Ｂは対角に位置するように設けられ、回路取付部６の中心を挟んで反対側に位置されている。
【００７８】
脚部７Ｂには周方向に並んで二つの凹凸部７ｃ、７ｃが形成され、脚部８Ｂには凹凸部８ｃが形成され、脚部９Ｂには凹凸部９ｃが形成され、脚部１０Ｂには周方向に並んで二つの凹凸部１０ｃ、１０ｃが形成されている。凹凸部７ｃ、７ｃ、８ｃ、９ｃ、１０ｃ、１０ｃは何れも脚部７Ｂ、８Ｂ、９Ｂ、１０Ｂの一部が厚み方向に打ち出されて放射方向に延びる形状、例えば、長方形や台形等の四角形状に形成されている。
【００７９】
凹凸部７ｃ、７ｃ、８ｃ、９ｃ、９ｃ、１０ｃは略同じ幅に形成されている。
【００８０】
第３の変形例に係るフレーム２Ｃはエッジ取付部５と回路取付部６と四つの脚部７Ｃ、８Ｃ、９Ｃ、１０Ｃとを有している（図８参照）。
【００８１】
脚部７Ｃ、８Ｃ、９Ｃ、１０Ｃは、同一の外形状及び大きさに形成され厚みも同じにされている。脚部７Ｃ、８Ｃ、９Ｃ、１０Ｃは同一の外形状及び大きさに形成され厚みも同じにされているため、強度の均一性が保たれ、また、脚部７Ｃ、８Ｃ、９Ｃ、１０Ｃを有するフレーム２Ｃの強度も高くされている。
【００８２】
脚部７Ｃ、８Ｃ、９Ｃ、１０Ｃはそれぞれ上方へ行くに従って外方へ変位するように傾斜されている。
【００８３】
脚部７Ｃと脚部９Ｃは対角に位置するように設けられ、回路取付部６の中心を挟んで反対側に位置されている。脚部８Ｃと脚部１０Ｃは対角に位置するように設けられ、回路取付部６の中心を挟んで反対側に位置されている。
【００８４】
脚部７Ｃには周方向に並んで二つの凹凸部７ｄ、７ｄが形成され、脚部８Ｃには凹凸部８ｄが形成され、脚部９Ｃには凹凸部９ｄが形成され、脚部１０Ｃには周方向に並んで二つの凹凸部１０ｄ、１０ｄが形成されている。凹凸部７ｄ、７ｄ、８ｄ、９ｄ、１０ｄ、１０ｄは何れも脚部７Ｃ、８Ｃ、９Ｃ、１０Ｃの一部が厚み方向に打ち出されて放射方向に延びる形状、例えば、長方形や台形等の四角形状に形成されている。
【００８５】
凹凸部７ｄ、７ｄ、８ｄは略同じ幅に形成され、凹凸部９ｄ、１０ｄ、１０ｄは略同じ幅に形成され、凹凸部７ｄ、７ｄ、８ｄは凹凸部９ｄ、１０ｄ、１０ｄより幅が広くされている。
【００８６】
［その他］
上記には、凹凸部が四角形状に形成された例を示したが、凹凸部は四角形状に限られることはなく任意の形状に形成することができる。
【００８７】
例えば、図９に示すように、三角形状の凹凸部７ｅ（８ｅ、９ｅ、１０ｅ）であってもよく、図１０に示すように、長円状の凹凸部７ｆ（８ｆ、９ｆ、１０ｆ）であってもよい。また、図１１に示すように、複数の部分が並んで形成された凹凸部７ｇ（８ｇ、９ｇ、１０ｇ）であってもよい。
【００８８】
［測定データー］
以下に、凹凸部７ａ等が形成されたフレーム２を有するスピーカー装置１と凹凸部７ｂ等が形成されたフレーム２Ａを有するスピーカー装置１について、凹凸部が形成されていない従来のスピーカー装置と比較して周波数と音圧の関係を測定したデーターについて説明する（図１２及び図１３参照）。
【００８９】
図１２は、周波数と音圧の関係を示すグラフ図であり、横軸に周波数を示し、縦軸に音圧を示している。また、図１３は、図１２における３０００Ｈｚから４０００Ｈｚ付近の測定データーを拡大して示すグラフ図である。
【００９０】
図１２及び図１３において、実線はフレーム２を有するスピーカー装置１の測定データーであり、一点鎖線はフレーム２Ａを有するスピーカー装置１の測定データーであり、点線は凹凸部を有さない従来のスピーカー装置の測定データーである。
【００９１】
図１２及び図１３に示すように、フレーム２とフレーム２Ａを有するスピーカー装置１は凹凸部を有さないスピーカー装置と比較して共振のピーク（ディップ）が低くされており、音質の向上が図られていることが解る。
【００９２】
［まとめ］
以上に記載した通り、スピーカー装置１にあっては、複数の脚部７、８、９、１０（７Ａ〜１０Ａ、７Ｂ〜１０Ｂ、７Ｃ〜１０Ｃを含む。以下同じ。）にそれぞれ凹凸部７ａ、８ａ、９ａ、１０ａ（７ｂ〜１０ｂ、７ｃ〜１０ｃ、７ｄ〜１０ｄを含む。以下同じ。）が形成されると共に凹凸部７ａ、８ａ、９ａ、１０ａの形態が少なくとも二つの脚部７、８、９、１０において異なるようにされている。
【００９３】
従って、フレーム２（２Ａ〜２Ｃを含む。以下同じ。）の強度の低下を来たすことなく音質の向上を図ることができる。
【００９４】
また、凹凸部７ａ等の形態のうち大きさ、形状又は数若しくはこれらの組み合わせが異なるようにすることにより、フレーム２の設計の自由度の向上を図った上で音質の向上を図ることができる。
【００９５】
さらに、フレーム２等のように四つの脚部７、８、９、１０が設けられ、対角に位置する脚部７、９と対角に位置する脚部８、１０とに形成された凹凸部７ａ等の数が同じにされ、周方向において隣り合う脚部７、８、９、１０に形成された凹凸部７ａ等の数が異なるようにされることにより、簡素な構成によって音質の向上を図ることができる。
【００９６】
さらにまた、脚部７、９と脚部８、１０がそれぞれ対角に位置するように設けられ、対角に位置する脚部７、９と対角に位置する脚部８、１０とに形成された凹凸部７ａ等の大きさが異なるようにされることによっても、簡素な構成によって音質の向上を図ることができる。
【００９７】
加えて、凹凸部７ａ等は脚部７等の一部が厚み方向に打ち出されて脚部７等に一体に形成されているため、凹凸部７ａ等の形成を容易に行うことができると共に脚部７等の強度の向上を図ることができる。
【００９８】
尚、スピーカー装置のフレームは、一般に、鋼板をプレス成形して加工されるのが一般的であるが、以上のような構成によれば、プレス成形の工程のみにより強度を維持しつつ共振周波数を分散して音質の向上を図ることができる。
【００９９】
［本技術］
本技術は、以下のような構成にすることができる。
【０１００】
（１）マグネットとコイルを有する磁気回路と、前記磁気回路の駆動力によって振動される振動板と、前記磁気回路が取り付けられる回路取付部と、前記振動板のエッジが取り付けられるエッジ取付部と、前記回路取付部と前記エッジ取付部を連結し周方向に離隔して設けられた複数の脚部とを有するフレームとを備え、前記複数の脚部にそれぞれ凹凸部が設けられると共に前記凹凸部の形態が少なくとも二つの前記脚部において異なるようにされたスピーカー装置。
【０１０１】
（２）前記凹凸部の形態のうち大きさが異なるようにされた前記（１）に記載のスピーカー装置。
【０１０２】
（３）前記凹凸部の形態のうち形状が異なるようにされた前記（１）又は前記（２）に記載のスピーカー装置。
【０１０３】
（４）前記凹凸部の形態のうち数が異なるようにされた前記（１）から前記（３）の何れかに記載のスピーカー装置。
【０１０４】
（５）前記脚部が四つ設けられ、前記四つの脚部のうち二つずつの前記脚部がそれぞれ対角に位置するように設けられ、対角に位置する二つの脚部に形成された前記凹凸部の数が同じにされ、周方向において隣り合う前記脚部に形成された前記凹凸部の数が異なるようにされた前記（１）から前記（４）の何れかに記載のスピーカー装置。
【０１０５】
（６）前記脚部が四つ設けられ、前記四つの脚部のうち二つずつの前記脚部がそれぞれ対角に位置するように設けられ、対角に位置する二つの脚部に形成された前記凹凸部の大きさが異なるようにされた前記（１）から前記（５）の何れかに記載のスピーカー装置。
【０１０６】
（７）前記凹凸部は前記脚部の一部が厚み方向に打ち出されて前記脚部に一体に形成された前記（１）から前記（６）の何れかに記載のスピーカー装置。
【０１０７】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１０８】
【図１】図２乃至図１３と共に本技術スピーカー装置の実施の形態を示すものであり、本図は、スピーカー装置の斜視図である。
【図２】背面側から見た状態で示すスピーカー装置の斜視図である。
【図３】スピーカー装置の側面図である。
【図４】スピーカー装置の断面図である。
【図５】フレームの背面図である。
【図６】第１の変形例に係るフレームの背面図である。
【図７】第２の変形例に係るフレームの背面図である。
【図８】第３の変形例に係るフレームの背面図である。
【図９】凹凸部の形状の例を示す概念図である。
【図１０】凹凸部の別の形状の例を示す概念図である。
【図１１】凹凸部のまた別の形状の例を示す概念図である。
【図１２】周波数と音圧に関する測定データーを示すグラフ図である。
【図１３】図１２の一部を拡大して示すグラフ図である。
【符号の説明】
【０１０９】
１…スピーカー装置、２…フレーム、３…磁気回路、４…振動板、４ａ…エッジ、５…エッジ取付部、６…回路取付部、７…脚部、７ａ…凹凸部、８…脚部、８ａ…凹凸部、９…脚部、９ａ…凹凸部、１０…脚部、１０ａ…凹凸部、１４…マグネット、１９…コイル、２Ａ…フレーム、７Ａ…脚部、７ｂ…凹凸部、８Ａ…脚部、８ｂ…凹凸部、９Ａ…脚部、９ｂ…凹凸部、１０Ａ…脚部、１０ｂ…凹凸部、２Ｂ…フレーム、７Ｂ…脚部、７ｃ…凹凸部、８Ｂ…脚部、８ｃ…凹凸部、９Ｂ…脚部、９ｃ…凹凸部、１０Ｂ…脚部、１０ｃ…凹凸部、２Ｃ…フレーム、７Ｃ…脚部、７ｄ…凹凸部、８Ｃ…脚部、８ｄ…凹凸部、９Ｃ…脚部、９ｄ…凹凸部、１０Ｃ…脚部、１０ｄ…凹凸部、７ｅ…凹凸部、８ｅ…凹凸部、９ｅ……凹凸部、１０ｅ…凹凸部、７ｆ…凹凸部、８ｆ…凹凸部、９ｆ……凹凸部、１０ｆ…凹凸部、７ｇ…凹凸部、８ｇ…凹凸部、９ｇ……凹凸部、１０ｇ…凹凸部
【図１】
2013138375.tif 000003
【図２】
2013138375.tif 000004
【図３】
2013138375.tif 000005
【図４】
2013138375.tif 000006
【図５】
2013138375.tif 000007
【図６】
2013138375.tif 000008
【図７】
2013138375.tif 000009
【図８】
2013138375.tif 000010
【図９】
2013138375.tif 000011
【図１０】
2013138375.tif 000012
【図１１】
2013138375.tif 000013
【図１２】
2013138375.tif 000014
【図１３】
2013138375.tif 000015